(57)【要約】【課題】フレームの接合箇所に水が溜まりにくい照明装置、及び、これに使用される接合構造を提供する。【解決手段】第１フレーム１４（２）及び第２フレーム１５を有するシャーシと、シャーシに取り付けられたＬＥＤと、シャーシに取り付けられ、ＬＥＤを点灯させるための電源ユニットと、を備え、第１フレーム１４（２）は、凹凸面１４Ｓを有し、第２フレーム１５は、第１フレーム１４（２）の凹凸面１４Ｓとの接合面が平面である。【選択図】図３
2015032471.tif 000002
【特許請求の範囲】
【請求項１】
第１フレーム及び第２フレームを有するシャーシと、
前記シャーシに取り付けられたＬＥＤと、
前記シャーシに取り付けられ、前記ＬＥＤを点灯させるための電源ユニットと、
を備え、
前記第１フレームは、凹凸面を有し、
前記第２フレームは、前記第１フレームの前記凹凸面との接合面が平面である
照明装置。
【請求項２】
前記第１フレームと前記第２フレームとは、前記第１フレームの長尺方向と前記第２フレームの長尺方向とが互いに交差するように接合されている
請求項１に記載の照明装置。
【請求項３】
前記凹凸面は前記第１フレームの端面及び側面のいずれか一方にリブを取り付けることにより構成されている
請求項１又は２に記載の照明装置。
【請求項４】
前記第１フレームの前記凹凸面と、前記第２フレームの前記平面との間には、凹部によって、水抜き孔が形成されており、
前記水抜き孔は、地面の方向を向いて形成されている
請求項１〜３のいずれか１項に記載の照明装置。
【請求項５】
前記第１フレームの前記凹凸面において、テーパー状の凹部を備える
請求項４に記載の照明装置。
【請求項６】
凹凸面を有する第１フレームと、
前記第１フレームの前記凹凸面との接合面が平面である第２フレームと、
を備える接合構造。
【発明の詳細な説明】
【技術分野】
【０００１】
本発明は、照明装置およびこれに適用される接合構造に関する。
【背景技術】
【０００２】
トンネル内で使用されている照明装置としては、特許文献１に例示されている装置が存在する。
【０００３】
図１２は、従来の照明装置の構成を示す斜視図である。図１２に示す照明装置１００は、フレーム１１０〜１１５を組み合わせて構成されたシャーシ１０１を備える。シャーシ１０１の裏側（紙面手前方向側）には、ＬＥＤ（Ｌｉｇｈｔ  Ｅｍｉｔｔｉｎｇ  Ｄｉｏｄｅ）を点灯させるための電源ユニット１０２が取り付けられている。また、シャーシ１０１の底面には、ＬＥＤが縦方向及び横方向に複数配列されたＬＥＤモジュール１０３が複数、裏向きに取り付けられている。
【０００４】
ＬＥＤモジュール１０３の表面には、ＬＥＤモジュール１０３に設けられた各ＬＥＤが位置し、各ＬＥＤの光束方向側には、各ＬＥＤに対応するレンズを有したカバーが設けられている。
【０００５】
このような照明装置１００は、ＬＥＤから照射されレンズによって収束された光束が路面に届くように、照明装置１００の表面（紙面の裏面側の面）が斜め下方向を向くように取り付けられる。そのために、照明装置１００は、トンネル壁面とシャーシ１０１との間の角度を調節する調節機構１１８を備える。
【０００６】
調節機構１１８は、トンネル壁面にボルトとナットとで取り付けられる取り付け部１１６と、シャーシ１０１と路面との間のなす角度を調節するための、半円状の調節部１１７とを備える。調節部１１７には、調節部１１７の外延に沿って、取り付け部１１６をガイドするガイド溝１１７Ａが形成されている。取り付け部１１６は、ガイド溝１１７Ａに沿って回転するので、ユーザは、シャーシ１０１の表側が向く角度を自由に調節することができる。
【先行技術文献】
【特許文献】
【０００７】
【特許文献１】特開平１０−１８４３００号公報
【発明の概要】
【発明が解決しようとする課題】
【０００８】
ところが、上記した従来の照明装置では、洗浄の際にかけられる水や、地下水、雨水がシャーシ１０１に直接かかるので、シャーシ１０１で凹状となっている箇所（例えば、図１２において丸で表される箇所）に水が溜まりやすい。
【０００９】
具体的には、フレーム１１０とフレーム１１１との接合部分、フレーム１１１とフレーム１１２との接合部分、フレーム１１２とフレーム１１３との接合部分、フレーム１１３とフレーム１１４との接合部分、フレーム１１４とフレーム１１５との接合部分、フレーム１１０とフレーム１１５との接合部分は凹状となっているので、各々の接合部分には水が溜まりやすい。前記接合部分に水が溜まると、その水がＬＥＤモジュールや電源ユニットにも浸水するおそれがあり、照明装置１の寿命が短くなるおそれがある。そこで、シャーシ１０１における接合部分を、水が溜まりにくい構造とすることが求められている。
【００１０】
本発明は、上述の課題を解決するためになされたものであり、フレームの接合箇所に水が溜まりにくい照明装置、及び、これに使用される接合構造を提供することを目的とする。
【課題を解決するための手段】
【００１１】
上記目的を達成するために、本発明の一態様に係る照明装置は、第１フレーム及び第２フレームを有するシャーシと、前記シャーシに取り付けられたＬＥＤと、前記シャーシに取り付けられ、前記ＬＥＤを点灯させるための電源ユニットと、を備え、前記第１フレームは、凹凸面を有し、前記第２フレームは、前記第１フレームの前記凹凸面との接合面が平面である。
【００１２】
この構成によると、第１フレームと第２フレームとを接合したときには、凹凸面と平面とが接合されるので、接合面に凹状の溝が形成される。これにより、第１フレームと第２フレームとの接合箇所では、凹状の溝を通じて水が接合箇所の外部に流れるので、フレームの接合箇所に水が溜まりにくい照明装置を提供することができる。
【００１３】
例えば、前記第１フレームと前記第２フレームとは、前記第１フレームの長尺方向と前記第２フレームの長尺方向とが互いに交差するように接合されている。
【００１４】
この構成によると、第１フレームと第２フレームとが、各々の長尺方向が交差するように接合されているので、２つの第１フレームと２つの第２フレームを用いてシャーシを構成することができる。
【００１５】
例えば、前記凹凸面は前記第１フレームの端面及び側面のいずれか一方にリブを取り付けることにより構成されている。
【００１６】
この構成によると、凹凸面は、第１フレームの端面及び側面のいずれか一方にリブを取り付けて構成されるので、凸状を破損しにくくすることができる。
【００１７】
また、前記第１フレームの前記凹凸面と、前記第２フレームの前記平面との間には、凹部によって、水抜き孔が形成されており、前記水抜き孔は、地面の方向を向いて形成されている。
【００１８】
この構成によると、凹部によって、水抜き孔が形成されており、この水抜き孔は地面の方向を向いているので、上方向から侵入してきた水を凹部を通じて下方向に抜くことができるので、フレームの接合箇所の水抜きをより確実に行うことができる。
【００１９】
例えば、前記第１フレームの前記凹凸面において、テーパー状の凹部を備える。
【００２０】
この構成によると、凹部はテーパー状であるので、凹部に侵入してきた水は斜め下方に向かって落下する。これにより、水抜きをより確実に行うことができる。
【００２１】
また、本発明の一態様に係る接合構造は、凹凸面を有する第１フレームと、前記第１フレームの前記凹凸面との接合面が平面である第２フレームと、を備える。
【００２２】
この構成によると、第１フレームと第２フレームとを接合したときには、凹凸面と平面とが接合されるので、接合面に凹状の溝が形成される。これにより、第１フレームと第２フレームとの接合箇所では、凹状の溝を通じて水が接合箇所の外部に流れるので、フレームの接合箇所に水が溜まりにくくすることができる。
【発明の効果】
【００２３】
本発明によると、フレームの接合箇所に水が溜まりにくい、照明装置及び接合構造を提供することができる。
【図面の簡単な説明】
【００２４】
【図１】本発明の実施の形態１に係る照明装置の表面を表す斜視図である。
【図２】照明装置の裏面を表す斜視図である。
【図３】左フレームと下フレームとの接合の一例を示した斜視図である。
【図４】左フレームのＡ―Ａ線断面図である。
【図５】下フレームを下方向から見た状態を表す図である。
【図６】右内側フレームと前上フレームとの接合の一例を示した斜視図である。
【図７】左内側フレームのＢ−Ｂ線断面図である。
【図８】後上フレームと右上フレームとの接合の一例を示した斜視図である。
【図９】右上フレームのＣ―Ｃ線断面図である。
【図１０】Ｃ−Ｃ線断面の別例を表した断面図である。
【図１１】本発明の実施の形態２に係る照明装置を示す斜視図である。
【図１２】従来の照明装置の構成を示す斜視図である。
【発明を実施するための形態】
【００２５】
以下、本発明の実施の形態について、図面を用いて詳細に説明する。なお、以下で説明する実施の形態は、いずれも本発明の好ましい一具体例を示すものである。以下の実施の形態で示される形状、構成要素、構成要素の配置位置及び接続形態などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２６】
以下、本発明の実施の形態を説明するにあたり、照明装置の右方向を矢印Ｘ１で表し、左方向を矢印Ｘ２で表す。また、照明装置の前方向を矢印Ｙ１で現し、後ろ方向を矢印Ｙ２で現す。さらに、照明装置の上方向を矢印Ｚ１で表し、下方向を矢印Ｚ２で表す。
【００２７】
（実施の形態１）
＜照明装置の構成＞
図１は、本発明の実施の形態１に係る照明装置の表面を表す斜視図であり、図２は、照明装置の裏面を表す斜視図である。
【００２８】
照明装置１は、路面を斜め上方向から照射するために、その前面が斜め下方向を向くように、トンネル壁に取り付けられる。
【００２９】
照明装置１は、シャーシ１０を備える。シャーシ１０の前面側には、ＬＥＤ２１を覆うカバー２０が設けられている。このカバー２０は、シャーシ１０の水平方向（矢印Ｘ１−矢印Ｘ２方向）に３つ設けられている。そして、水平方向に設けられた３つのカバー２０が、シャーシ１０の上下方向（矢印Ｚ１−Ｚ２方向）に、２列に渡って設けられている。すなわち、シャーシ１０の前面側には、６つのカバー２０が設けられている。
【００３０】
各カバー２０の後ろには、ＬＥＤモジュール２２に縦横に渡って配列された複数のＬＥＤ２１が位置する。各ＬＥＤ２１は、電源ユニット１１からの電源供給を受けて光束を照射する。
【００３１】
各カバー２０には、各ＬＥＤ２１に対応して、ＬＥＤ２１の前面に位置するレンズ部２０Ａが設けられている。これにより、ＬＥＤ２１から照射された光束がレンズ部２０Ａによって集束され、路面に到達する。
【００３２】
シャーシ１０は、図２に示すように、前方側の前上フレーム（第２フレーム）１２（１）と、後方側の後上フレーム（第２フレーム）１２（２）と、予め定められた曲率で曲げられて形成された右上フレーム（第１フレーム）１３（１）と、右上フレーム１３と同様に予め定められた曲率で曲げられて形成された左上フレーム（第１フレーム）１３（２）と、右フレーム（第１フレーム）１４（１）と、右フレーム１４（１）と同様の構成の左フレーム（第１フレーム）１４（２）と、下フレーム（第２フレーム）１５と、を組み合わせて構成される。
【００３３】
右フレーム１４（１）には、その左側に左内側フレーム（第１フレーム）１４０（１）を有している。左フレーム１４（２）は、その右側に右内側フレーム（第１フレーム）１４０（２）を有している。
【００３４】
開口３０は、前上フレーム１２（１）、後上フレーム１２（２）、右上フレーム１３（１）、及び左上フレーム１３（２）を組み合わせて形成されている。この開口３０は、電源ユニット１１からの熱や、ＬＥＤモジュール２２からの熱を外部に逃がすために設けられている。
【００３５】
後上フレーム１２（２）には、ＬＥＤ２１を点灯させるための電源ユニット１１が取り付けられている。電源ユニット１１は、３本のレール溝１２Ａに沿って左右方向に移動させることができる。
【００３６】
シャーシ１０の底部（矢印Ｙ２と反対方向の矢印Ｙ１側）には、ＬＥＤモジュール２２が、上下方向に２列、左右方向に３列の計６つ配置されている。ＬＥＤモジュール２２は、ＬＥＤ２１の配置面が前方方向を向くように裏向きに取り付けられる。各ＬＥＤモジュール２２の後方側には、図示しない放熱フィンを介して、放熱板２３が取り付けられている。放熱板２３には、その放熱効率を向上させるため、複数の孔が形成されている。
【００３７】
各ＬＥＤモジュール２２は、ソケット２４を通じて、電源ユニット１１によって発生する電源の供給を受ける。これにより、各ＬＥＤ２１が点灯する。
【００３８】
＜接合構造＞
以下、本発明の実施の形態１に係る接合構造について、図面を用いて説明する。
【００３９】
図３は、左フレーム１４（２）と下フレーム１５との接合の一例を示した斜視図であり、接合部Ｒ１を表している。図４は、左フレーム１４（２）のＡ―Ａ線断面図である。
【００４０】
図５は、下フレーム１５と右フレーム１４（１）との接合の一例を下方向から見た状態を表す図である。なお、図５は、右フレーム１４（１）と下フレーム１５との関係を表すが、左フレーム１４（２）と下フレーム１５との関係と同じ関係であるので、左フレーム１４（２）と下フレーム１５との関係についての説明及び図示は省略する。
【００４１】
下フレーム１５と右フレーム１４（１）とは、図２に示すように、各々の長尺方向が交差するように、接合されている。
【００４２】
左フレーム１４（２）の下端面には、凹凸状に形成された凹凸面１４Ｓが設けられている。凹凸面１４Ｓでは、凹部１４Ｂと凸部１４Ａとが交互に前後方向に向けて配置されている。凸部１４Ａは、例えば、リブを平面に取り付けることで構成される。
【００４３】
一方で、下フレーム１５では、左フレーム１４（２）と接合されたときに形成される接合面は平面状である。
【００４４】
左フレーム１４（２）は、一対の位置決め部１６を備える。各位置決め部１６は、中央部に凹部１６Ｂが形成され、凹部１６Ｂの上下に隣り合うように凸部１６Ａが形成されている。左フレーム１４（２）と下フレーム１５とを接合する際には、位置決め部１６の凹部１６Ｂに、下フレーム１５の端部をはめ込む。そうすることによって、各位置決め部１６では、２つの凸部１６Ａによって下フレーム１５を上下方向から挟み込む。これにより、左フレーム１４（２）と下フレーム１５との関係において、上下方向の位置決めが可能となる。
【００４５】
左フレーム１４（２）の下端の側面と下フレーム１５とが接合されたときの接合箇所は、凹凸面１４Ｓと平面とが当たっている箇所である。したがって、両者が接合されたとき、凹部１４Ｂによって、水が通る水抜き孔が形成される（図５参照）。
【００４６】
このように、左フレーム１４（２）の下端面と下フレーム１５とが接合されたとき、凹部１４Ｂによって水抜き孔が形成されるので、接合部Ｒ１に水が溜まることを抑制することができる。
【００４７】
なお、上記実施の形態では、左フレーム１４（２）側の下端の下端面に凹凸面１４Ｓを設け、右フレーム１５の端面を平面状としているが、本発明ではこの例には限られず、左フレーム１４（２）を平面状とし、右フレーム１５の端面を凹凸状にすることで、当該右フレーム１５の端面に凹凸面を設けてもよい。
【００４８】
図６は、左内側フレーム１４０（１）と前上フレーム１２（１）との接合の一例を示した斜視図であり、接合部Ｒ２を表している。図７は、左内側フレーム１４０（１）のＢ−Ｂ線断面図である。
【００４９】
また、図６及び図７は、左内側フレーム１４０（１）と前上フレーム１２（１）との接合箇所を表しているが、両者の接合面の構造は、右内側フレーム１４０（２）と前上フレーム１２（１）との関係と同じであるので、右内側フレーム１４０（２）と前上フレーム１２（１）との関係についての説明及び図示は省略する。
【００５０】
右内側フレーム１４０（１）と前上フレーム１２（１）とは、図２に示すように、各々の長尺方向が交差するように、接合されている。
【００５１】
右内側フレーム１４０（１）の下端面には、凹凸状に形成された凹凸面１４Ｓが設けられている。凹凸面１４Ｓでは、凹部１４Ｂと凸部１４Ａとが交互に前後方向に向けて配置されている。
【００５２】
一方で、前上フレーム１２（１）では、右内側フレーム１４０（１）と接合されたときに形成される接合面は平面状とされている。
【００５３】
右内側フレーム１４０（１）は、一対の位置決め部１６を備える。各位置決め部１６は、中央部に凹部１６Ｂが形成され、凹部１６Ｂの上下に隣り合うように凸部１６Ａが形成されている。右内側フレーム１４０（１）と前上フレーム１２（１）とを接合する際には、位置決め部１６の凹部１６Ｂに、前上フレーム１２（１）の端部をはめ込む。そうすることによって、各位置決め部１６では、２つの凸部１６Ａによって前上フレーム１２（１）を前後方向から挟み込む。これにより、右内側フレーム１４０（１）と前上フレーム１２（１）との関係において、前後方向の位置決めが可能となる。
【００５４】
右内側フレーム１４０（１）の下端と前上フレーム１２（１）とが接合されたときの接合箇所は、凹凸面１４Ｓと平面とが当たっている箇所である。したがって、両者が接合されたとき、凹部１４Ｂによって、水が通る水抜き孔が形成される。
【００５５】
このように、右内側フレーム１４０（１）の下端と前上フレーム１２（１）とが接合されたとき、凹部１４Ｂによって水抜き孔が形成されるので、接合部Ｒ２に水が溜まることを抑制することができる。
【００５６】
なお、上記実施の形態では、右内側フレーム１４０（１）の下端面に凹凸面１４Ｓを設け、前上フレーム１２（１）を平面状としているが、本発明ではこの例には限られず、右内側フレーム１４０（１）を平面状とし、前上フレーム１２（１）の端面を凹凸状にすることで、当該前上フレーム１２（１）の端面に凹凸面を設けてもよい。
【００５７】
図８は、後上フレーム１２（２）と右上フレーム１３（１）との接合の一例を示した斜視図であり、接合部Ｒ３を示している。図９は、右上フレーム１３（１）のＣ―Ｃ線断面図である。なお、後上フレーム１２（２）と左上フレーム１３（２）との関係は、後上フレーム１２（２）と右上フレーム１３（１）との関係と同じであるため、説明及び図示については省略する。
【００５８】
後上フレーム１２（２）と右上フレーム１３（１）とは、図１及び図２に示すように、各々の長尺方向が交差するように、接合されている。
【００５９】
右上フレーム１３（１）の端面には、凸部１４Ａと凹部１４Ｂとが交互に前後方向に沿って配列されることで、凹凸面１４Ｓが形成される。凹凸面１４Ｓでは、上下方向の凹部１４Ｂが複数配列されているから、各凹部１４Ｂによって、水抜き孔が形成される。
【００６０】
なお、凹部を、図１０に示すようにテーパー状の凹部１４Ｃのように形成してもよい。図１０は、Ｃ−Ｃ線断面の別例を表した断面図である。
【００６１】
こうすれば、上方向から到来した水がテーパーを伝って下方向へ落下しやすくなるので、一層の水抜き効果が発揮される。
【００６２】
（実施の形態２）
図１１は、本発明の実施の形態２に係る照明装置を示す斜視図である。なお、図１１において、左上フレーム１３（２）の構造は、右上フレーム１３（１）の構造と同じであるため、左上フレーム１３（２）の構造の説明については省略する。
【００６３】
後上フレーム１２（２）の下側には、ガイド溝１２Ａを形成するガイドレール１２０Ａが左右方向に設けられている。そして、後上フレーム１２（２）の内部には、複数の補強部材１２Ｂが左右方向に設けられている。後上フレーム１２（２）の端面は平面状とされている。
【００６４】
一方で、右上フレーム１３（１）の端面には、凹部１４Ｂが前後方向に複数設けられており、凹凸面１４Ｓが形成されている。各凹部１４Ｂは、開口が下側を向くように、上下方向に形成されている。そのため、各凹部１４Ｂに流れてきた水は、下方向へ落下する。
各凹部１４Ｂは、水が溜まりやすいガイドレール１２０Ａや補強部材１２Ｂに対応して設けられている。
【００６５】
これにより、ガイドレール１２０Ａや補強部材１２Ｂに溜まった水が凹部１４Ｂを伝って下方向へ落下する。そのため、後上フレーム１２（２）の内部に水が溜まることを抑制することができる。
【産業上の利用可能性】
【００６６】
本発明は、例えば、トンネル内を照明する照明装置等に適用できる。
【符号の説明】
【００６７】
１  照明装置
１０  シャーシ
１１  電源ユニット
１２（１）  前上フレーム
１２（２）  後上フレーム
１３（１）  右上フレーム
１３（２）  左上フレーム
１４（１）  右フレーム
１４（２）  左フレーム
１４Ａ  凸部
１４Ｂ  凹部
１４Ｓ  凹凸面
１５  下フレーム
２１  ＬＥＤ
１４０（１）  右内側フレーム
１４０（２）  左内側フレーム
【図１】
2015032471.tif 000003
【図２】
2015032471.tif 000004
【図３】
2015032471.tif 000005
【図４】
2015032471.tif 000006
【図５】
2015032471.tif 000007
【図６】
2015032471.tif 000008
【図７】
2015032471.tif 000009
【図８】
2015032471.tif 000010
【図９】
2015032471.tif 000011
【図１０】
2015032471.tif 000012
【図１１】
2015032471.tif 000013
【図１２】
2015032471.tif 000014